(57)【要約】 【課題】  表示される画像が動画像であるか静止画像であるかを判断し、静止画像である場合には実質的な動作が行われていないメモリや他の関連装置に印加される電源供給を制御し、不要な電力が消費されることを防止する液晶表示装置の駆動装置を提供する。    【解決手段】  駆動装置は、複数の階調電圧のうち映像データに該当する階調電圧を選択してデータ電圧として画素に印加するデータ駆動部、画像データをデータ駆動部に提供し、現在画像データと直前画像データとの差に基づいて現在フレームの画像が動画像であるか静止画像であるかを判断し、静止画像であると判断される場合には映像信号補正動作を中止する信号制御部を含む。【選択図】      図３
2004272270.tif 000002
【特許請求の範囲】
【請求項１】
行列状に配列された複数の画素を含む液晶表示装置を駆動する装置であって、
複数の階調電圧を生成する階調電圧生成部と、
前記複数の階調電圧のうち画像データに該当する階調電圧を選択してデータ電圧として前記画素に印加するデータ駆動部と、
前記画像データを前記データ駆動部に提供し、現在画像データと直前画像データとの差に基づいて前記現在フレームの画像が動画像であるか静止画像であるかを判断し、静止画像であると判断された場合には所定の制御動作を中止する信号制御部と、
を含む液晶表示装置の駆動装置。
【請求項２】
前記制御動作は画像データ補正動作であり、前記画像データ補正動作はDCC、ACCE及びACCのうち少なくとも１つである請求項１に記載の液晶表示装置の駆動装置。
【請求項３】
前記信号制御部は前記現在画像データと前記直前画像データとが異なっていたり、その差異が一定値以上の画素が所定数以上存在する時には動画像であると判断する請求項１に記載の液晶表示装置の駆動装置。
【請求項４】
前記信号制御部は前記複数の画素各々に対する前記現在画像データと直前画像データとを比較して、前記各画素に対して前記現在画像データと前記直前画像データとが異なっていたり、その差異が一定値以上である毎に生成されるパルスを備えた第１比較信号を各行毎に出力するデータ比較部と、前記第１比較信号に含まれたパルス数を計数し、前記計数されたパルス数が第１設定個数以上となる毎に生成されるパルスを備えた第２比較信号を各フレーム毎に出力する画素フラッグカウンターと、前記第２比較信号に含まれたパルス数を計数し、前記計数されたパルス数が第２設定個数以上となる毎に生成されるパルスを備えた第３比較信号を第１周期毎に出力するラインフラッグカウンター、及び前記第３比較信号に含まれた前記パルスが第３設定個数以上ある時、前記第１周期以後連続する第２周期の間の画像データを動画像であると判断し、そうでない場合には静止画像であると判断して、第１状態または第２状態の結果信号を出力するフレーム状態検出部とを含む請求項３に記載の液晶表示装置の駆動装置。
【請求項５】
前記第１設定個数は全画素数の３０％以上に当たる個数である請求項４に記載の液晶表示装置の駆動装置。
【請求項６】
前記第２設定個数は全行数の３０％以上に当たる個数である請求項４に記載の液晶表示装置の駆動装置。
【請求項７】
前記第３設定個数は少なくとも一つである請求項４に記載の液晶表示装置の駆動装置。
【請求項８】
前記第１周期は連続する５フレームの間である請求項４に記載の液晶表示装置の駆動装置。
【請求項９】
前記第２周期は連続する２５フレームの間である請求項８に記載の液晶表示装置の駆動装置。
【請求項１０】
前記信号制御部は前記第２周期の間に判断された画像の種類と同じ種類で前記第１周期の間の画像を判断する請求項９に記載の液晶表示装置の駆動装置。
【請求項１１】
前記結果信号は前記第２周期と前記第２周期に連続する第１周期の間に第１または第２状態を維持し、前記第１状態は高レベルであるハイまたは低レベルであるロー状態のいずれか１つである請求項４に記載の液晶表示装置の駆動装置。
【請求項１２】
前記信号制御部は１フレームの映像データを記憶するフレームメモリをさらに含み、前記直前画像データは前記フレームメモリに記憶されている画像データである請求項１に記載の液晶表示装置の駆動装置。
【請求項１３】
行列状に配列された複数の画素を含む液晶表示装置を駆動する方法であって、直前フレームと現在フレームの画像データを読み取る段階と、各画素毎に前記直前フレームの画像データと前記現在フレームの画像データとを比較し、２つのデータが異なっていたり、その差が一定値以上である毎に生成されるパルスを備えた第１比較信号を各行毎に生成する段階と、前記第１比較信号に含まれたパルス数を計数し、前記計数されたパルス数が第１設定個数以上となる毎に生成されるパルスを備えた第２比較信号をフレーム毎に生成する段階と、前記第２比較信号に含まれたパルス数を計数し、前記計数されたパルス数が第２設定個数以上である度にパルスを備えた第３比較信号を第１周期毎に生成する段階、そして前記第３比較信号に含まれた前記パルスが第３設定個数以上である時、前記第１周期以後連続する第２周期の間の画像データを動画像であると判断し、そうでない場合には静止画像であると判断して、静止画像である場合には所定の制御動作を中止する段階とを含む液晶表示装置の駆動方法。
【請求項１４】
前記第１周期は連続する５フレームの間である請求項１３に記載の液晶表示装置の駆動方法。
【請求項１５】
前記第２周期は連続する２５フレームの間である請求項１３に記載の液晶表示装置の駆動方法。
【請求項１６】
前記第２周期の間に判断された画像の種類と同じ種類で次の第１周期の間の画像を判断する請求項１４または請求項１５に記載の液晶表示装置の駆動方法。
【発明の詳細な説明】
【技術分野】
【０００１】
本発明は液晶表示装置の駆動装置及びその方法に関する。
【背景技術】
【０００２】
一般的な液晶表示装置は、画素電極及び共通電極を備える２つの表示板とその間に入っている誘電率異方性を有する液晶層を含む。画素電極は行列状に配列され、薄膜トランジスタ（TFT）などのスイッチング素子に連結されて１行ずつ順次にデータ電圧を印加される。共通電極は表示板の全面に形成され共通電圧を印加される。画素電極と共通電極及びその間の液晶層は回路的には液晶蓄電器を構成し、液晶蓄電器はこれに連結されたスイッチング素子と共に画素を構成する基本単位となる。
【０００３】
このような液晶表示装置では、２つの電極に電圧を印加して液晶層に電界を生成し、この電界の強さを調節して液晶層を通過する光の透過率を調節することによって所望の画像を得る。この時、液晶層に一方向の電界が長く印加されることで発生する劣化現象を防止するために、フレーム毎、行毎、またはドット毎に共通電圧に対するデータ電圧の極性を反転させる。ところが、液晶分子の応答速度が遅いので液晶蓄電器に充電される電圧（以下、画素電圧と称す）が目標電圧、つまり、所望の輝度が得られる電圧に到達するまでにある程度の時間がかかり、液晶表示装置の画質が悪くなる。このような液晶の応答速度遅延による画質悪化を改善するために、DCC（dynamic  capacitance  compensation）、ACCE（adaptive  color  contrast  enhancement）、ACC（accurate  color  capture）などのような多くの改善技術が開発適用されている。
【０００４】
しかし、このような画質改善の技術は液晶表示装置に表示される画像の種類、つまり、動画像であるか静止画像であるかに関係なく同様に適用される。このため、長時間静止画像が表示されているにもかかわらず、メモリや他の関連装置等が動画像を表示する場合と同様の動作状態を維持し、不要な電力消費が生じる。
【発明の開示】
【発明が解決しようとする課題】
【０００５】
本発明が解決しようとする技術的課題は、液晶表示装置の不要な電力消費を減らすことにある。
【課題を解決するための手段】
【０００６】
このような技術的課題を解決するための本発明は、行列状に配列された複数の画素を含む液晶表示装置を駆動する装置であって、複数の階調電圧を生成する階調電圧生成部、前記複数の階調電圧のうち画像データに該当する階調電圧を選択してデータ電圧として前記画素に印加するデータ駆動部と、前記画像データを前記データ駆動部に提供して、現在画像データと直前画像データとの差に基づいて前記現在フレームの画像が動画像であるか静止画像であるかを判断し、静止画像であると判断された場合には、所定の制御動作を中止する信号制御部を含む。
【０００７】
前記制御動作は画像データ補正動作であり、前記画像データ補正動作はDCC、ACCE及びACCのうち少なくとも１つであることが好ましい。
【０００８】
前記信号制御部は、前記現在画像データと前記直前画像データとが異なっていたり、その差異が一定値以上である画素が所定数以上存在する場合には動画像であると判断するのが好ましい。
【０００９】
また、前記信号制御部は前記複数の画素各々に対する前記現在画像データと直前画像データとを比較し、前記各画素に対して前記現在画像データと前記直前画像データが異なっていたり、その差異が一定値以上となる毎に生成されるパルスを備えた第１比較信号を各行毎に出力するデータ比較部、前記第１比較信号に含まれたパルス数を計数し、前記計数されたパルス数が第１設定個数以上となる毎に生成されるパルスを備えた第２比較信号を各フレーム毎に出力する画素フラッグカウンター、前記第２比較信号に含まれたパルス数を計数し、前記計数されたパルス数が第２設定個数以上となる毎に生成されるパルスを備えた第３比較信号を第１周期ごとに出力するラインフラッグカウンター、及び前記第３比較信号に含まれた前記パルスが第３設定個数以上である時、前記第１周期以後連続する第２周期の間の映像データを動画像であると判断し、そうでない場合には静止画像であると判断して、第１状態または第２状態の結果信号を出力するフレーム状態検出部を含むことができる。
【００１０】
この時、前記第１設定個数は全画素の３０％以上に当たる個数であり、前記第２設定個数は全行の３０％以上に当たる個数であるのが好ましい。また、前記第３設定個数は少なくとも１つであることが好ましい。
【００１１】
本発明において前記結果信号は、前記第２周期と前記第２周期に連続する第１周期の間に第１または第２状態を維持し、前記第１状態は高レベルであるハイまたは低レベルであるロー状態のいずれか１つであるのが良い。また、前記信号制御部は１フレームの映像データを記憶するフレームメモリをさらに含み、前記直前映像データは前記フレームメモリに記憶されている映像データである。
【００１２】
さらに、前記技術的課題を解決するために本発明は、行列状に配列された複数の画素を含む液晶表示装置を駆動する方法であって、直前フレームと現在フレームの画像データを読み取る段階、各画素別に前記直前フレームの画像データと前記現在フレームの画像データとを比較して、２つのデータが異なっていたり、その差異が一定値以上となる毎に生成されるパルスを備えた第１比較信号を各行毎に生成する段階、前記第１比較信号に含まれたパルス数を計数し、前記計数されたパルス数が第１設定個数以上となる毎に生成されるパルスを備えた第２比較信号をフレーム毎に生成する段階、前記第２比較信号に含まれたパルス数を計数し、前記計数されたパルス数が第２設定個数以上となる毎に生成されるパルスを備えた第３比較信号を第１周期毎に生成する段階、そして前記第３比較信号に含まれた前記パルスが第３設定個数以上である時、前記第１周期以後連続する第２周期の間の画像データを動画像であると判断し、そうでない場合には静止画像であると判断して、静止画像である時は所定の制御動作を中止する段階を含む。
【００１３】
本発明において、前記第１周期は連続する５フレームの期間であり、前記第２周期は連続する２５フレームの期間であるのが好ましい。また、本発明は前記第２周期の間に判断された画像の種類と同じ種類で次の前記第１周期の間の画像を判断するのが好ましい。
【発明の効果】
【００１４】
本発明の実施例によれば、現在表示されている画像が動画像であるか静止画像であるかを検出し、静止画像である場合には実質的に動作が行なわれていない装置に対し電源供給が遮断されるので、不要な電力消費が防止できる。
【発明を実施するための最良の形態】
【００１５】
添付した図面を参照して本発明の実施例に対して本発明の属する技術分野における通常の知識を有する者が容易に実施できるように詳細に説明する。
【００１６】
図面は、各種の層及び領域を明確に表現するために厚さを拡大して示している。明細書全体を通じて類似した部分については同一図面符号を付けている。層、膜、領域、板などの部分が他の部分の“上に”あるとする時、これは他の部分の“すぐ上に”ある場合に限らず、その中間に更に他の部分がある場合も含む。逆に、ある部分が他の部分の“すぐ上に”あるとする時は、中間に他の部分がないことを意味する。
【００１７】
まず、本発明の実施例による液晶表示装置について図面を参照して詳細に説明する。図１は本発明の実施例による液晶表示装置のブロック図であり、図２は本発明の１実施例による液晶表示装置の１画素に対する等価回路図である。
【００１８】
図１に示すように、本発明による液晶表示装置は、液晶表示板組立体３００及びこれに連結されたゲート駆動部４００とデータ駆動部５００、データ駆動部５００に連結された階調電圧生成部８００、そしてこれらを制御する信号制御部６００を含む。
【００１９】
液晶表示板組立体３００は等価回路から見て複数の表示信号線G１-Gn、D１-Dmとこれに連結され概ね行列状に配列された複数の画素を含む。
【００２０】
表示信号線G１-Gn、D１-Dmは、ゲート信号（走査信号ともいう。）を伝達する複数のゲート線G１-Gnとデータ信号を伝達するデータ線D１-Dmとを含む。ゲート線G１-Gnは概ね行方向にのびて互いにほぼ平行し、データ線D１-Dmは概ね列方向にのびて互いにほぼ平行する。
【００２１】
各画素は表示信号線（G１-Gn、D１-Dm）に連結されたスイッチング素子Qとこれに連結された液晶蓄電器Clc及び維持蓄電器Cstを含む。維持蓄電器Cstは必要に応じて省略できる。
【００２２】
スイッチング素子Qは下部表示板１００に備えられており、３端子素子であってその制御端子及び入力端子は各々ゲート線G１-Gn及びデータ線D１-Dmに連結されており、出力端子は液晶蓄電器Clc及び維持蓄電器Cstに連結されている。
【００２３】
液晶蓄電器Clcは、下部表示板１００の画素電極１９０と上部表示板２００の共通電極２７０を２つの端子とし、２つの電極１９０、２７０の間の液晶層３は誘電体として機能する。画素電極１９０はスイッチング素子Qに連結され、共通電極２７０は上部表示板２００の全面に形成され共通電圧Vcomの印加を受ける。図２とは異なり、共通電極２７０が下部表示板１００に設けられた構成とすることも可能であり、この時には２つの電極１９０、２７０が全て線形または棒形に形成することができる。
【００２４】
維持蓄電器Cstは、下部表示板１００に設けられた別個の信号線（図示せず）と画素電極１９０とが重なることにより形成され、この別個の信号線には共通電圧Vcomなどの定められた電圧が印加される。これ以外にも、維持蓄電器Cstは、画素電極１９０が絶縁体を媒介としてすぐ上の前段ゲート線と重なることにより形成される構成とすることができる。
【００２５】
一方、色表示を実現するためには各画素が色相を表現できなければならないが、これは画素電極１９０に対応する領域に赤色、緑色、または青色の色フィルター２３０を設けることによって可能となる。図２では、色フィルター２３０は上部表示板２００の該当領域に形成されているが、下部表示板１００の画素電極１９０の上または下に形成することも可能である。
【００２６】
また、図１で、階調電圧生成部８００は液晶表示装置の透過率に係わる複数の階調電圧を生成し、ゲート駆動部４００は液晶表示板組立体３００のゲート線G１-Gnに連結され外部からのゲートオン電圧Vonとゲートオフ電圧Voffの組み合わせからなるゲート信号をゲート線G１-Gnに印加し、データ駆動部５００は液晶表示板組立体３００のデータ線D１-Dmに連結され階調電圧生成部８００からの階調電圧を選択してデータ電圧としてデータ線D１-Dmに印加する。データ電圧は、スイッチング素子Qを通じて液晶蓄電器Clcの画素電極１９０に印加され、データ電圧と共通電圧Vcomとの差は液晶蓄電器Clcの充電電圧、つまり、画素電圧として表れる。液晶蓄電器Clcの液晶分子は画素電圧の大きさによってその配列を変え、これにより液晶層３を通過する光の偏光が変化する。このような偏光の変化は表示板１００、２００に取り付けられた偏光子（図示せず）によって光の透過率変化として表れる。
【００２７】
信号制御部６００は、フレームメモリ６１０とフレームメモリ６１０に連結された画像種類検出部６２０を含む。フレームメモリ６１０は、１フレームに該当する画像信号（R、G、B）を記憶する。本発明の実施例では、画像種類検出部６２０が信号制御部６００に内蔵される構成となっているが、信号制御部６００とは異なる別途の装置で信号制御部６００外部に装着することも可能である。
【００２８】
信号制御部６００は、外部のグラフィック制御機（図示せず）からRGB画像信号（R、G、B）及びその表示を制御する入力制御信号、例えば、垂直同期信号Vsyncと水平同期信号Hsync、メインクロック信号MCLK、データイネーブル信号DEなどの提供を受ける。信号制御部６００は、入力制御信号に基づいてゲート制御信号CONT１及びデータ制御信号CONT２などを生成し、ゲート制御信号CONT１をゲート駆動部４００に送り出し、データ制御信号CONT２をデータ駆動部５００に送出する。また、信号制御部６００の画像種類検出部６２０は、直前フレームの画像データと現在フレームの画像データの階調差、つまり、データ値に基づいて現在表示されている画像が静止画像であるか、動画像であるかを検出し、信号制御部６００は検出された画像の種類によって画像データの補正動作を制御する。画像種類検出部６２０の検出動作については後に詳細に説明する。
【００２９】
ゲート制御信号CONT１は、ゲートオンパルス（ゲートオン電圧区間）の出力開始を指示する垂直同期開始信号STV、ゲートオンパルスの出力時期を制御するゲートクロック信号CPV及びゲートオンパルスの幅を限定する出力イネーブル信号OEなどを含む。
【００３０】
データ制御信号CONT２は、画像データ（R'、G'、B'）の入力開始を指示する水平同期開始信号STHとデータ線D１-Dmに該当データ電圧の印加を指示するロード信号LOAD、共通電圧Vcomに対するデータ電圧の極性（以下、“共通電圧に対するデータ電圧の極性”を略して“データ電圧の極性”と記する）を反転させる反転信号RVS及びデータクロック信号HCLKなどを含む。
【００３１】
データ駆動部５００は、信号制御部６００からのデータ制御信号CONT２によって１つの行の画素に対応する画像データ（R'、G'、B'）を順次に受信し、階調電圧生成部８００からの階調電圧のうち各画像データ（R'、G'、B'）に対応する階調電圧を選択することによって、画像データ（R'、G'、B'）を該当データ電圧に変換する。
【００３２】
ゲート駆動部４００は、信号制御部６００からのゲート制御信号CONT１によってゲートオン電圧Vonをゲート線G１-Gnに印加し、このゲート線G１-Gnに連結されたスイッチング素子Qをターンオンさせる。
【００３３】
１つのゲート線G１-Gnにゲートオン電圧Vonが印加され、これに連結された１つの行のスイッチング素子Qがターンオンされている間（この期間を１Hまたは１水平周期といい、水平同期信号Hsync、データイネーブル信号DE、ゲートクロックCPVの１周期と同じである。）、データ駆動部４００は各データ電圧を該当データ線D１-Dmに供給する。データ線D１-Dmに供給されたデータ電圧は、ターンオンされたスイッチング素子Qを通じて該当画素に印加される。
【００３４】
このような方式で、１フレーム期間の間全てのゲート線G１-Gnに対して順次にゲートオン電圧Vonを印加し、全ての画素にデータ電圧を印加する。１フレームが終われば次のフレームが始まり、各画素に印加されるデータ電圧の極性が直前フレームでの極性と反対になるようにデータ駆動部５００に印加される反転信号RVSの状態が制御される（フレーム反転）。この時、１フレーム内において反転信号RVSの特性によって１つのデータ線を通じて流れるデータ電圧の極性を変えたり（ライン反転）、１つの画素行に印加されるデータ電圧の極性を互いに異なるように構成することができる（ドット反転）。
【００３５】
次は、本発明の１実施例に基づいて、直前フレームの画像データと現在フレームの画像データ（R、G、B）の階調差によって現在表示されている画像の種類、つまり、静止画像であるか動画像であるかを検出する動作について図３及び図４a〜図４dを参照して詳細に説明する。
【００３６】
図３は本発明の１実施例による画像種類検出部６２０の詳細ブロック図であり、図４a〜図４dは本発明の１実施例による動作タイミング図である。
【００３７】
図３に示すように、画像種類検出部６２０はデータ比較部６２１、データ比較部６２１に連結された画素フラッグカウンター６２２、画素フラッグカウンター６２２に連結されたラインフラッグカウンター６２３及びラインフラッグカウンター６２３に連結されたフレーム状態検出部６２４を含む。
【００３８】
データ比較部６２１はフレームメモリ６１０に連結されており、現在（N）フレームの画像データ（R、G、B）と直前（N-１）フレームの画像データが印加される。
【００３９】
まず、１フレームの画像データ（R、G、B）が順次にフレームメモリ６１０と画像種類検出部６２０に入力されると、フレームメモリ６１０はこれらの画像データ（R、G、B）を記憶する。この時、画像種類検出部６２０は、入力される現在（N）フレームの画像データ（R、G、B）（以下、現在データという。）を読み取ると同時にフレームメモリ６１０に既に記憶されている直前（N-１）フレームの画像データ（以下、直前データという。）を順次に読み取る。
【００４０】
画像種類検出部６２０は、現在データ（R、G、B）と直前データとを比較して現在表示されている画像が静止画像であるか動画像であるかを判断する。次に、このような画像種類検出部６２０の動作を詳細に説明する。
【００４１】
画像種類検出部６２０のデータ比較部６２１に現在データ（R、G、B）と直前データが印加されると、データ比較部６２１は、図４aに示すように、直前フレームの全データと現在フレームの全データ、つまり、全ての画素に印加されるデータ値を比較する。
【００４２】
図４aのように、データ比較部６２１は、各画素に対する現在フレームのデータと直前フレームのデータを比較した後、各行毎に該当する画素フラッグ信号PFSを生成して画素フラッグカウンター６２２に提供する。各画素フラッグ信号PFSは、各画素の直前データと現在データとが異なっていたり、その差異が一定値以上である場合に１個ずつのパルスを有する。
【００４３】
画素フラッグカウンター６２２は、各画素フラッグ信号PFSのパルス数をカウンティングして該当行の状態が直前フレームと異なっているか否かを判断し、該当するラインフラッグ信号LFSを生成する。例えば、１画素のフラッグ信号PFSのカウンティングされたパルス数が該当行の画素数の約３０％以上である場合、つまり、１行の画素のうち現在データと直前データとが異なる画素が３０％以上存在する場合、画素フラッグカウンター６２２は該当行の状態が直前フレームと異なるものと判断し、ラインフラッグ信号LFSにパルスを生成する（図４a参照）。
【００４４】
通常、XGA級液晶表示装置の場合、１行に１０２４個の画素が存在するため、約３１２個以上の画素の現在データが直前データと異なっている場合、画素フラッグカウンター６２２はラインフラッグ信号LFSにパルスを発生させる。本発明の実施例で、ラインフラッグ信号LFSに含まれたパルスは画素フラッグ信号PFSに含まれたパルス個数を行周期で計数し、その計数結果によって発生の可否が決まる。
【００４５】
ラインフラッグカウンター６２３は、画素フラッグカウンター６２２からのラインフラッグ信号LFSに存在するパルス数をカウンティングし、該当フレームの状態が直前フレームと異なっているか否かを判断し、該当するフレームフラッグ信号FFSを生成してフレーム状態検出部６２４に供給する。図４bに示すように、ラインフラッグ信号LFSのパルス数が所定個数以上である場合、例えば、１フレームの全行の約３０％以上が直前フレームの該当行と異なれば、ラインフラッグカウンター６２３は現在フレームの画像データが直前フレームの画像データと異なる動画像が表示されているフレームであると判断する。したがって、ラインフラッグカウンター６２３は、ラインフラッグ信号LFSに含まれたパルスを計数し、その計数結果によってフレーム周期に合うようにパルス生成の可否を決める。
【００４６】
一般に、XGA級液晶表示装置の場合、１フレームに７６８個の行（ゲート線）が存在するので、ラインフラッグ信号LFSのパルス数が２５６個（約３０％）であれば、ラインフラッグカウンター６２３はフレームフラッグ信号FFSにパルスを発生させる（図４b参照）。
【００４７】
フレームフラッグ信号FFSは、例えば、連続する５個のフレームに対して１つずつ生成される（図４c）。
【００４８】
本発明の実施例で、５個の連続フレーム（以下、フィルタリング周期と称する）のうち１フレームでも直前フレームと異なれば、つまり、フレームフラッグ信号FFSにパルスが１つでも存在すれば、フレーム状態検出部６２４は、画像種類検出信号MS_SELをフィルタリング周期が終わる時点で高レベル（ハイ）状態に変換する。信号制御部６００は、このフィルタリング周期が終了した後、２５フレームの間と次のフィルタリング周期の間（５個の連続フレームの間）を動画像状態と見なす。この時、図４dに示すように、画像種類検出信号MS_SELはフィルタリング周期が終了した後、連続する２５フレームの間、そして続く次のフィルタリング周期の間、つまり、全３０フレームの間に高レベル状態を維持する。
【００４９】
このような動作により、信号制御部６００は、画像種類検出信号MS_SELが連続する３０フレームの間に低レベル状態の場合、画質補償制御動作、例えば、DCCのような制御動作を中止し、それに必要なメモリ（図示せず）の動作も中止する（図４d）。しかし、フィルタリング周期の間は現在フレームと直前フレームとの比較動作が行われなければならないため、メモリの動作は正常に行われる（図４d）。
【００５０】
ところが、画像種類検出信号MS_SELが高レベル状態であるフレームの間に信号制御部６００は画質補償制御動作などを正常に実行し、また、そのためのメモリなどへの電源供給が正常に行われる。
【００５１】
このように、定められたフレームの間に表示される画像が動画像であるか静止画像であるかを判別し、静止画像である場合は実質的に動作が行なわれていない装置に対して電源供給を遮断するので無駄な電力消費を防止できる。例えば、メモリに不要に供給される電源が遮断されると、電源が供給されている場合より約５％の電力消費を節減できる。
【００５２】
本発明の実施例で定められた数値は単に試験値によるものであり、これら数値は液晶表示装置の特性及び周辺環境などによって変更可能である。
【００５３】
以上、本発明の好ましい実施例について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００５４】
【図１】本発明の実施例による液晶表示装置のブロック図である。
【図２】本発明の１実施例による液晶表示装置の１画素に対する等価回路図である。
【図３】本発明の１実施例による映像種類検出部の詳細ブロック図である。
【図４ａ】本発明の１実施例による動作タイミング図である。
【図４ｂ】本発明の１実施例による動作タイミング図である。
【図４ｃ】本発明の１実施例による動作タイミング図である。
【図４ｄ】本発明の１実施例による動作タイミング図である。
【符号の説明】
【００５５】
３  液晶層
１００、２００  表示板
１９０  画素電極
２７０  共通電極
３００  液晶表示板組立体
４００  ゲート駆動部
５００  データ駆動部
６００  信号制御部
６１０  フレームメモリ
６２０  画像種類検出部
６２１  データ比較部
６２２  画素フラッグカウンター
６２３  ラインフラッグカウンター
６２４  フレーム状態検出部
８００  階調電圧生成部    
【図１】
2004272270.tif 000003
【図２】
2004272270.tif 000004
【図３】
2004272270.tif 000005
【図４ａ】
2004272270.tif 000006
【図４ｂ】
2004272270.tif 000007
【図４ｃ】
2004272270.tif 000008
【図４ｄ】
2004272270.tif 000009